(57)【特許請求の範囲】
【請求項１】
被選別穀類に混在している屑粒を選別して整粒を得る穀類選別機と、穀類選別機に供給する被選別穀類に混在する細塵を風力により除去する唐箕と、唐箕からの排風を導入して細塵を分離するサイクロンとで構成された穀類選別装置であって、穀類選別機、唐箕およびサイクロンを共通の基台に設置して一体構成とするとともに、正面側に整粒送出口を有し、一側面に屑粒排出口を有する穀類選別機の背面側に唐箕を、かつ穀類選別機の背面側に上記唐箕を挟んでサイクロンをそれぞれ配置して成り、これら穀類選別機、唐箕、サイクロン間の接続構造体を少なくとも基台の２つの辺の輪郭内に収めて成ることを特徴とする除塵機能を備えた穀類選別装置。
【請求項２】
サイクロンは、細塵収集筺を備えていて、その細塵排出口を穀類選別機の屑粒排出口と同じ側に設けたことを特徴とする請求項１記載の除塵機能を備えた穀類選別装置。
【請求項３】
サイクロンの細塵排出口と細塵収集筺の細塵落とし口とは、互いに突き合わせて接続バンドで接続したことを特徴とする請求項２記載の除塵機能を備えた穀類選別装置。
【発明の詳細な説明】
【０００１】
【発明の属する技術分野】
本発明は、被選別穀類に混在している屑粒を選別して整粒を得る除塵機能を備えた穀類選別装置に関する。
【０００２】
【従来の技術】
選別網筒の内部に回転螺旋体を設けて、被選別穀類を回転螺旋体で揚上移動させながら選別網筒により屑粒を選別排出する穀類選別機は、例えば、特開平１１−３００２８３号公報または特開２０００−９３７５号公報に記載されており、そのうち、特開平１１−３００２８３号公報に記載された穀類選別機は、細塵を風力により除去する唐箕を備えている。また、風力除塵によって発生する排風から細塵を除去するのにサイクロンを備えたものは、例えば、実開昭６３−２５１４７号公報に記載されている。
【０００３】
【発明が解決しようとする課題】
ところで、この種の穀類選別機は、通常、籾摺機と併設して玄米の選別に用いたり、または精米機と併設して白米の選別に用いるが、穀類選別機、サイクロン、および籾摺機や精米機との間に被選別穀類の供給のための昇降機を設置する場所は、その設置面に少なからず段差があったり、さらに空間的な制約がある場合が多いので、従来のように、穀類選別機、唐箕およびサイクロンをそれぞれ個別に設置する場合には、穀類選別機と唐箕、唐箕とサイクロンをダクトなどの接続に特注品を用意しなければならなかったり、設置施工が煩雑であるなどの問題がある。また、穀類選別機に唐箕を付設したものでは、穀類選別機と唐箕との接続作業を要しないとしても、穀類選別機と一体に備えられている唐箕が必ずしもサイクロンとの接続に好適が部位にあるとは限らないので、唐箕とサイクロンとの接続に少なからず支障を生じているのが実情である。
【０００４】
そこで、本発明は、除塵機能を備えた穀類選別装置を構成する穀類選別機、唐箕およびサイクロンを共通の基台に設置して一体構成としたことにより、この穀類選別装置を、籾摺機や精米機またはそれらから被選別穀類を供給する昇降機と単に併設するのみで、従来のもののような煩雑な接続作業を要せず、また、その保守、点検などにあたっての移動や、作業場内の配置換えなどの設置位置の変更や設置向きの変更なども簡易かつ迅速に設置施工ができるようにするとともに、穀類選別機、唐箕、サイクロンおよび唐箕とサイクロン間の接続構造体を少なくとも基台の２つの辺の輪郭内に収めたことにより、除塵機能を備えた穀類選別装置の設置にあたって、基台の上記２つの辺を作業場の壁面に沿わせたり、また隣接する他の構成物や機器等に沿わせて設置することができて、設置空間の有効利用を図ることを目的とするものである。
【０００５】
【課題を解決するための手段】
本発明は、上記目的を達成するため請求項１ないし３に記載した構成の除塵機能を備えた穀類選別装置を提供する。すなわち、請求項１は、被選別穀類に混在している屑粒を選別して整粒を得る穀類選別機と、穀類選別機に供給する被選別穀類に混在する細塵を風力により除去する唐箕と、唐箕からの排風を導入して細塵を分離するサイクロンとで構成された穀類選別装置であって、穀類選別機、唐箕およびサイクロンを共通の基台に設置して一体構成とするとともに、正面側に整粒送出口を有し、一側面に屑粒排出口を有する穀類選別機の背面側に唐箕を、かつ穀類選別機の背面側に上記唐箕を挟んでサイクロンをそれぞれ配置して成り、これら穀類選別機、唐箕、サイクロン間の接続構造体を少なくとも基台の２つの辺の輪郭内に収めて成ることを特徴とする除塵機能を備えた穀類選別装置
である。
【０００６】
請求項２は、請求項１記載の構成において、サイクロンは、細塵収集筺を備えていて、その細塵排出口を穀類選別機の屑粒排出口と同じ側に設けたことを特徴とする請求項１記載の除塵機能を備えた穀類選別装置である。
【０００７】
請求項３は、請求項２記載の構成において、サイクロンの細塵排出口と細塵収集筺の細塵落とし口とは、互いに突き合わせて接続バンドで接続したことを特徴とする請求項２記載の除塵機能を備えた穀類選別装置である。
【０００８】
【発明の実施の形態】
図１は本発明の一実施の形態に係る装置の側面図、図２は同上平面図、図３は図１の反対側を示す側面図、図４は本発明の他の実施の形態に係る装置の側面図、図５は本発明のさらに他の実施の形態を示す一部の分解斜視図、図６は本発明のまたさらに他の実施の形態を示す側面図、図７は各実施の形態においてサイクロンと細塵収集筺との接続構造を示す一部の分解斜視図、図８は細塵収集筺の他の構成例を示す斜視図である。
【０００９】
図１ないし図３において、本発明に係る除塵機能を備えた穀類選別装置１は、次のように構成されている。すなわち、穀類選別装置１は、穀粒選別機２、唐箕３、サイクロン４から成り、これらは共通の基台５に設置して一体構成を成している。なお、図示の実施の形態では、唐箕３は穀類選別機２に付設して基台５に設置した構造となっている。
【００１０】
穀類選別機２は、被選別穀類に混在している屑粒を選別して整粒を得るためのものであって、６はその選別部、７は整粒タンク、８は整粒送出口、９は屑粒排出樋である。整粒送出口８はシャッタ機能を備えており、屑粒排出樋９はシャッタ１０により交互に切り替える２つの屑粒排出口１１，１１を有している。１２，１２は屑粒収集袋を示している。唐箕３は、穀粒選別機２に供給する被選別穀類に混在する細塵を風力により除去するためのものであって、図示の実施の形態にあっては穀粒選別機２の背面側に付設されている。サイクロン４は、唐箕３からの排風を導入して細塵を分離するためのものである。唐箕３とサイクロン４の導風筒１３はダクト１４により接続されている。１５は吸引送風機であって、唐箕３からの吸引風をダクト１６により穀粒選別機２の下部に送風し、穀粒選別機２の下部から上記ダクト１４を経てサイクロン４に圧送風を送風するものである。１７はサイクロン４の排風口である。
【００１１】
穀粒選別機２の整粒送出口８はその正面側にあり、かつ屑粒排出口１１，１１は穀粒選別機２の一側面に設けられている。また、唐箕３は穀類選別機２の背面側に配置されている。そして、穀粒選別機２の背面側には上記唐箕３を挟んでサイクロン４が配置されている。穀粒選別機２には唐箕３を介して被選別穀類が供給されるようになっており、唐箕３の被選別穀類投入口１８は、唐箕３の上面に位置している。穀粒選別機２は、穀類選別機能だけのもの、または穀類選別機能と自動計量機能を備えたものである。
【００１２】
唐箕３と穀粒選別機２、穀粒選別機２とサイクロン４間の接続構造体、すなわちダクト１４およびダクト１６、さらには吸引送風機１５は基台５の２つの辺１９，２０の輪郭内に収まっており、基台５の上記２つの辺１９，２０の輪郭仮想垂直面が装置の最大輪郭を成している。すなわち、本発明に係る穀類選別装置１は、その基台５の上記２つの辺１９，２０の輪郭外に何も突出する部分の無い構成である。
【００１３】
２１は昇降機である。この昇降機２１は、籾摺機または精米機（いずれも図示せず）から被選別穀類（玄米または白米）を穀類選別機２に唐箕３を介して供給するためのものである。昇降機２０の穀類供給筒２２は、唐箕３の被選別穀類投入口１８に接続されている。その接続構造は、図１および図３に示すように嵌合接続するか、または図５に示すように、唐箕３の被選別穀類投入口１８に接続筒部２３を形成して、それと昇降機２１の穀類供給筒２２の先端を突き合わせて、接続バンド２４によって接続するものである。嵌合接続によるものでは、図４に示すように穀類供給樋２２の先端寄り部位を蛇腹状などのフレキシブル部２５とすると、被選別穀類投入口１８と穀類供給筒２２の接続および離脱が容易である。また、図５に示すように突き合わせ接続によるものも同様に被選別穀類投入口１８の接続筒部２３と穀類供給筒２２の接続および離脱が容易である。
【００１４】
サイクロン４は、その下部に細塵収集筺２６を備えている。この細塵収集筺２６は、図７に示すように、その細塵落とし口２７をサイクロン４の細塵排出口２８に突き合わせて、接続バンド２９によって接続されている。このため、細塵収集筺２６は、接続バンド２９を外すことにより容易に着脱することができる。ま、細塵収集筺２６の前面蓋３０はその下辺を軸心として手前方向に開放自在であって、それが図７に示すように細塵排出樋となるものであり、細塵排出樋により形成される細塵取出口３１は、通常、穀粒選別機２の屑粒排出口１１，１１と同じ側とするが、細塵収集筺２６の細塵落とし口２７とサイクロン４の細塵排出口２８が突き合わせ接続されているので、細塵排出口３１を他の向きに変えることもできる。
【００１５】
また、図８に示すように、細塵収集筺２６の前面蓋３０で形成される細塵排出樋に排出方向に樋口を狭める案内板３２，３２を取り付けた構成とすることにより、細塵を収集袋などに容易かつ確実に収集することができる。
【００１６】
本発明に係る穀類選別装置１おいては、唐箕３、サイクロン４、唐箕３とサイクロン４とを接続するダクト１４などの構成体が、全て穀粒選別機２の最大高さより少なくとも低く設けられている。そして、図示の実施の形態では、穀粒選別機２の上面が平面状であるから、穀類選別装置１の設置場所の空間高さが少なくとも基台５の高さを加えた穀粒選別機２の高さを少し超えていれば、設置および移動が可能である。なお、設置した穀類選別装置１の移動にあたっては、唐箕３の被選別穀類投入口１８に接続した昇降機２１の穀類供給筒２２を離脱しなければならないが、それが嵌合接続であっても、図３に示すように穀類供給筒２２にフレキシブル部２５を設けてあれば、その接続解除が容易にできる。また、図４に示すように、突き合わせ接続とすれば、接続バンド２４を外すだけで穀類選別装置１の移動が可能であるから、穀類選別装置１の設置、保守、点検または撤去などの作業を容易かつ安全に行うことができる。
【００１７】
一方、図６に示すように、唐箕３を穀粒選別機２と略同高とし、その被選別穀類投入口１８の接続筒部２３と昇降機２１の穀類供給筒２２の先端を突き合わせ位置を穀粒選別機２より高くしておけば、接続バンド２４を外すことにより、穀類選別装置１を何れの方向にも移動が可能である。なお、図６において図１ないし図５に示すものと同構成の部分には同符号を付してある。
【００１８】
本発明に係る穀類選別装置１おいては、前記のように穀類選別機２、唐箕３、サイクロン４および唐箕３とサイクロン４間のダクト１４などは、基台５の２つの辺１９，２０の輪郭内に収まっており、基台５の上記２つの辺１９，２０の輪郭仮想垂直面が装置の最大輪郭を成しているので、穀類選別装置１の設置にあたって、基台５の上記２つの辺１９，２０を作業場の壁面に沿わせたり、また隣接する他の構成物や機器等に沿わせて設置することができて、設置空間の有効利用を図ることができる。
【００１９】
そのうえ、穀類選別機２の整粒送出口８および屑粒排出口１１，１１、またサイクロン４の細塵収集筺２６の細塵排出口３１を基台５の前記２つの辺１９，２０と反対側に設けてあるので、穀類選別装置１を前記のように隣接する他の構成物や機器等に沿わせて設置した場合でも、整粒および屑粒の収集搬出作業側、また細塵の収集搬出作業側が何れも他の構成物や機器等の陰とならず、その作業がし易くかつ安全である。基台５は、細塵収集筺２６の前面蓋３０を開くと形成される細塵排出樋による細塵取出口３１から細塵を取り出し易いように、その高さを高くしてある。なお、基台５は平坦面を形成する構造であっても、またフレーム状のものであってもよい。さらに、基台５は平板状であってもよく、また穀粒選別機２やサイクロン４など各構成ブロックごとに分割した構成としてそれらを連結一体化するものであってもよい。
【００２０】
【発明の効果】
本発明によれば、除塵機能を備えた穀類選別装置を構成する穀類選別機、唐箕およびサイクロンを共通の基台に設置して一体構成としたことにより、この穀類選別装置を、籾摺機や精米機またはそれらから被選別穀類を供給する昇降機等に単に併設するのみで、従来のもののような煩雑な接続作業を要せず、また、その保守、点検などにあたっての移動や、作業場内の配置換えなどの設置位置の変更や設置向きの変更なども簡易かつ迅速に設置施工ができるとともに、穀類選別機、唐箕、サイクロンおよび唐箕とサイクロン間の接続構造体を少なくとも基台の２つの辺の輪郭内に収めたことにより、除塵機能を備えた穀類選別装置の設置にあたって、基台の上記２つの辺を作業場の壁面に沿わせたり、また隣接する他の構成物や機器等に沿わせて設置することができて、設置空間の有効利用を図ることができる。
【図面の簡単な説明】
【図１】  本発明の一実施の形態に係る装置の側面図である。
【図２】  本発明の一実施の形態に係る装置の平面図である。
【図３】  図１の反対側を示す側面図である。
【図４】  本発明の他の実施の形態に係る装置の側面図である。
【図５】  本発明のさらに他の実施の形態を示す一部の分解斜視図である。
【図６】  本発明のまたさらに他の実施の形態を示す側面図である。
【図７】  各実施の形態においてサイクロンと細塵収集筺との接続構造を示す一部の分解斜視図である。
【図８】  細塵収集筺の他の構成例を示す斜視図である。
【符号の説明】
１  穀類選別装置
２  穀粒選別機
３  唐箕
４  サイクロン
５  基台
６  選別部
７  整粒タンク
８  整粒送出口
９  屑粒排出樋
１０  シャッタ
１１，１１  屑粒排出口
１２，１２  屑粒収集袋
１３  導風筒
１４  ダクト
１５  吸引送風機
１６  ダクト
１７  排風口
１８  被選別穀類投入口
１９，２０  基台の２つの辺
２１  昇降機
２２  穀類供給筒
２３  接続筒部
２４  接続バンド
２５  フレキシブル部
２６  細塵収集筺
２７  細塵落とし口
２８  細塵排出口
２９  接続バンド
３０  前面蓋
３１  細塵取出口
３２，３２  案内板
【図１】
0003920034.tif 000002
【図２】
0003920034.tif 000003
【図３】
0003920034.tif 000004
【図４】
0003920034.tif 000005
【図５】
0003920034.tif 000006
【図６】
0003920034.tif 000007
【図７】
0003920034.tif 000008
【図８】
0003920034.tif 000009